(57)【要約】  燃料電池電力モジュールは、反応器モジュールにおける反応物の反応を制御するための制御要素のいくつかを含むアダプタにより、燃料供給反応器モジュールに連結される。アダプタは、筐体と、アダプタを燃料電池電力モジュールの燃料入口ポートに着脱可能に連結するための、筐体の中の第１の接続インターフェースと、アダプタを反応器モジュールの燃料出口ポートに着脱可能に連結するための、筐体の中の第２の接続インターフェースとを含む。流体ラインは、第１の接続インターフェースと第２の接続インターフェースとの間に延在する。アダプタは、反応器モジュールがアダプタに連結されたときに動力を反応器モジュールの流れ回路に提供するように構成される、流れ制御機構の動力ユニットを含む。アダプタは、燃料電池電力モジュールが、異なる形状因子及び異なる制御要件を有する異なるタイプの反応器モジュールとインターフェースすることを可能にする。
2016515757.tif 000002
【特許請求の範囲】
【請求項１】
燃料電池電源のためのアダプタであって、
筐体と、
前記アダプタを燃料電池電力モジュールの燃料入口ポートに着脱可能に連結するための、前記筐体の中の第１の接続インターフェースと、
前記アダプタを反応器モジュールの燃料出口ポートに着脱可能に連結するための、前記筐体の中の第２の接続インターフェースと、
前記第１の接続インターフェースと前記第２の接続インターフェースとの間に延在する流体ラインと、
前記反応器モジュールが前記アダプタに連結されたときに動力を反応器モジュールの流れ回路に提供するように構成される、流れ制御機構の動力ユニットと、を備える、前記アダプタ。
【請求項２】
前記動力ユニットは、モーター及びポンプを備え、
前記第２の接続インターフェースはさらに、第１の反応物ポート及び第２の反応物ポートを備え、前記ポンプは、前記第１の反応物ポートと前記第２の反応物ポートとの間に延在する流体ラインの中に配置される、請求項１に記載の前記アダプタ。
【請求項３】
前記動力ユニットは、前記反応器モジュールの中のポンプヘッドに連結するための、前記第２の接続インターフェース上に配置される駆動出力を有する、ポンプモーターを備える、請求項１に記載の前記アダプタ。
【請求項４】
前記モーター及びポンプは、蠕動ポンプを備える、請求項２に記載の前記アダプタ。
【請求項５】
前記駆動出力は、前記反応器モジュールが前記第２の接続インターフェースに連結されたときに反応器モジュールの中の蠕動ポンプヘッドと協働するように構成される、ローラーを備える、請求項３に記載の前記アダプタ。
【請求項６】
前記第１の接続インターフェースはさらに、燃料電池電力モジュールから制御信号及び／または電力を受け取るための電気接続インターフェースを含む、請求項１に記載の前記アダプタ。
【請求項７】
前記燃料電池電力モジュールから制御信号を受け取るための、前記電気接続インターフェースに連結される電子コントローラをさらに含む、請求項６に記載の前記アダプタ。
【請求項８】
前記第１の接続インターフェースはさらに、弁に連結される機械的アクチュエータを含み、前記機械的アクチュエータは、前記第１の接続インターフェースに連結されたときに燃料電池電力モジュールによって動作可能である、請求項１に記載の前記アダプタ。
【請求項９】
前記第１の接続インターフェースはさらに、弁に連結される機械的アクチュエータを含み、前記機械的アクチュエータは、前記第１の接続インターフェースに連結されたときに燃料電池電力モジュールによって動作可能である、請求項１に記載の前記アダプタ。
【請求項１０】
前記第２の接続インターフェースは、前記反応器モジュールの閉鎖弁またはシールを動作させるための機械的アクチュエータを備える、請求項１に記載の前記アダプタ。
【請求項１１】
前記動力ユニットを制御するように構成されるコントローラをさらに含む、請求項７に記載の前記アダプタ。
【請求項１２】
前記動力ユニットは、流れ制御弁を備え、
前記第２の接続インターフェースはさらに、第１の反応物ポート及び第２の反応物ポートを備え、切り替え弁が、前記第１の反応物ポートと前記第２の反応物ポートとの間に延在する流体ラインの中に配置される、請求項１に記載の前記アダプタ。
【請求項１３】
請求項１〜１２のいずれかに記載のアダプタ、及び反応器モジュールを備えるモジュール式反応器アセンブリであって、
前記反応器モジュールは、前記アダプタの前記第２の接続インターフェースと係合して協働するように構成される、接続インターフェースを有する、前記モジュール式反応器アセンブリ。
【請求項１４】
前記反応器モジュールは、
第１の反応物を含有する反応物リザーバと、
第２の反応物を含有する反応チャンバと、
前記反応物リザーバと前記反応チャンバとの間に延在する流路を備える流れ回路と、
前記反応チャンバに対する第１の反応物の流れを制御するための、前記流路の中の流れ制御要素であって、前記反応器モジュールが前記アダプタの前記第２の接続インターフェースに連結されたときに前記アダプタの前記動力ユニットによって駆動可能である、流れ制御要素と、を備える、請求項１３に記載の前記モジュール式反応器アセンブリ。
【請求項１５】
前記反応器モジュールは、
第１の反応物を含有する反応物リザーバと、
第２の反応物を含有する反応チャンバと、
前記反応物リザーバから前記反応器モジュールの接続インターフェースに延在する第１の流路、及び前記反応器モジュールの接続インターフェースから前記反応チャンバに延在する第２の流路を備える、流れ回路とを備え、
前記アダプタは、
それぞれが前記反応器の接続インターフェースの前記第１の流路及び前記第２の流路と係合する、前記第２の連通インターフェースの中の第１の反応物ポート及び第２の反応物ポートを備え、
前記動力ユニットは、前記反応器モジュールが前記アダプタの前記第２の接続インターフェースに連結されたときに、前記アダプタの前記流体ラインを介した前記反応チャンバに対する第１の反応物の流れを制御するための、前記第１の反応物ポートと前記第２の反応物ポートとの間に延在する流体ラインの中の流れ制御要素を備える、請求項１３に記載の前記モジュール式反応器アセンブリ。
【請求項１６】
前記アダプタは、前記反応器モジュールをその中に受け取る空洞を画定する、請求項１３に記載の前記モジュール式反応器アセンブリ。
【請求項１７】
前記空洞は、前記反応器モジュールを前記空洞の中に受け取ったときに閉鎖可能である、請求項１６に記載の前記モジュール式反応器アセンブリ。
【請求項１８】
前記反応器モジュールは、前記アダプタモジュールをその中に受け取る空洞を画定する、請求項１３に記載の前記モジュール式反応器アセンブリ。
【請求項１９】
燃料電池電源であって、
筐体と、
燃料電池電源を反応器モジュールの燃料出口ポートに着脱可能に連結するための、筐体の中の接続インターフェースと、
前記反応器モジュールが前記燃料電池電源に連結されたときに動力を反応器モジュールの流れ回路に提供するように構成される、流れ制御機構の動力ユニットと、を備える、前記燃料電池電源。
【請求項２０】
前記動力ユニットは、モーター及びポンプを備え、
前記接続インターフェースはさらに、第１の反応物ポート及び第２の反応物ポートを備え、前記ポンプは、前記第１の反応物ポートと前記第２の反応物ポートとの間に延在する流体ラインの中に配置される、請求項１に記載の前記燃料電池電源。
【請求項２１】
前記動力ユニットは、前記反応器モジュールの中のポンプヘッドに連結するための、前記接続インターフェース上に配置される駆動出力を有する、ポンプモーターを備える、請求項１９に記載の前記燃料電池電源。
【請求項２２】
前記モーター及びポンプは、蠕動ポンプを備える、請求項２０に記載の前記燃料電池電源。
【請求項２３】
前記駆動出力は、前記反応器モジュールが前記接続インターフェースに連結されたときに反応器モジュールの中の蠕動ポンプヘッドと協働するように構成される、ローラーを備える、請求項２１に記載の前記燃料電池電源。
【請求項２４】
前記接続インターフェースは、前記反応器モジュールの閉鎖弁またはシールを動作させるための機械的アクチュエータを備える、請求項１９に記載の前記燃料電池電源。
【請求項２５】
前記動力ユニットは、流れ制御弁を備え、
前記第２の接続インターフェースはさらに、第１の反応物ポート及び第２の反応物ポートを備え、前記切り替え弁が、前記第１の反応物ポートと前記第２の反応物ポートとの間に延在する流体ラインの中に配置される、請求項１９に記載の前記燃料電池電源。
【請求項２６】
燃料電池電源はさらに、反応器モジュールをその中に受け取ることができる、筐体の中の空洞を含む、請求項１９に記載の前記燃料電池電源。
【請求項２７】
燃料電池電源を動作させる方法であって、
ａ）アダプタを提供することであって、該アダプタは、
筐体と、
前記アダプタを燃料電池電力モジュールの燃料入口ポートに着脱可能に連結するための、前記筐体の中の第１の接続インターフェースと、
前記アダプタを反応器モジュールの燃料出口ポートに着脱可能に連結するための、前記筐体の中の第２の接続インターフェースと、
前記第１の接続インターフェースと前記第２の接続インターフェースとの間に延在する流体ラインと、
前記反応器モジュールが前記アダプタに連結されたときに動力を反応器モジュールの流れ回路に提供するように構成される、流れ制御機構の動力ユニットとを備える、アダプタを提供することと、
ｂ）前記第１の接続インターフェースを燃料電池電力モジュールに連結することと、
ｃ）前記第２の接続インターフェースを反応器モジュールに接続することと、
ｄ）前記アダプタを介した前記反応器モジュールから前記燃料電池電力モジュールへの燃料の送達を制御することと、を含む、前記方法。
【請求項２８】
前記アダプタの中の電子コントローラによって燃料の送達を制御するステップをさらに含む、請求項２７に記載の前記方法。
【請求項２９】
燃料電池電源を動作させる方法であって、
ａ）燃料電池電源を提供することであって、該燃料電池電源は、
筐体と、
前記燃料電池電源を反応器モジュールの燃料出口ポートに着脱可能に連結するための、前記筐体の中の接続インターフェースと、
前記反応器モジュールが前記燃料電池電源に連結されたときに動力を反応器モジュールの流れ回路に提供するように構成される流れ制御機構の動力ユニットと、を有する、燃料電池電源を提供することと、
ｂ）前記接続インターフェースを反応器モジュールに連結することと、
ｃ）前記燃料電池電源の中の前記動力ユニットを使用して、前記反応器モジュールから前記燃料電池電力モジュールへの燃料の送達を制御することと、を含む、前記方法。
【請求項３０】
前記アダプタ内の動力ユニットを使用して、反応器モジュールから燃料電池電源への燃料の送達を制御するようにアダプタを構成するために、燃料電池電源のための前記アダプタにロードするように構成されるコンピュータプログラムコードを含む、コンピュータプログラム。
【請求項３１】
前記燃料電池電源内の動力ユニットを使用して、反応器モジュールから燃料電池電源への燃料の送達を制御するように前記燃料電池電源を構成するために、前記燃料電池電源にロードするように構成されるコンピュータプログラムコードを含む、コンピュータプログラム。
【請求項３２】
請求項２７〜２９のいずれかに記載の前記方法を行うように構成されるコンピュータプログラムコードを含む、コンピュータプログラム。
【発明の詳細な説明】
【技術分野】
【０００１】
本発明は、電気化学燃料電池に関し、特に、排他的ではないが、交換可能なプラグイン型燃料リザーバを有するポータブル電源として使用するように構成される電気化学燃料電池に関する。
【背景技術】
【０００２】
現在、たくさんの人々が、携帯電話、パーソナル音楽プレーヤー、ポータブルコンピュータ、パーソナルゲーミングデバイス、及び同類のもの等の、いくつかのポータブル電子デバイスを日常的に携持している。これらのデバイスは、デバイスの延長動作のために、またはデバイスを再充電するために、日常的に、主電力供給源への接続を必要とする。電気化学燃料電池技術における最近の発展は、そのようなポータブル電子デバイスのための電力源としてのコンパクトな燃料電池の開発を可能にした。これらの燃料電池電源は、ポータブル電子デバイスに統合され得、または別個の電力アダプタもしくは充電器ユニットとして提供され得る。
【０００３】
燃料電池電源は、燃料、一般には水素の供給を必要とする。十分にポータブルな、燃料電池に基づく電源には、コンパクトで、安全で、かつ制御可能な水素の供給源を有することが望ましい。水素燃料を提供する１つの方法は、反応材料と水溶液または水との反応によって、要求されたときに水素ガスを発生する反応器モジュールによるものである。これは、加圧水素のキャニスタの使用等の水素貯蔵方法の代替案を提供する。
【０００４】
既知のタイプの反応器は、反応チャンバ内に含有される安定化アルカリ金属材料等の反応燃料材料と、水チャンバから供給される水溶液または水との反応によって、要求に応じて水素を放出する。水が反応チャンバの中へ供給されると、水素ガスが発生し、反応チャンバにおいてガス圧力が生じ、これは、例えば燃料電池による消費のために反応チャンバから水素を取り出されることによって水素圧力が下がるまで、水のさらなる投入を止める。別の既知のタイプの反応器は、反応燃料材料が触媒を含有する反応チャンバの中へ送達されたときに、化学溶液リザーバから供給される反応燃料材料の反応によって、要求に応じて水素を放出する。水素発生装置の実施例は、ＷＯ２０１１／０９７１９８及びＥＰ１３７５４１９において見出される。
【発明の概要】
【発明が解決しようとする課題】
【０００５】
いくつかの反応器モジュールの特徴は、流体を反応チャンバの中へ駆動し、それによって水素燃料を発生させる反応を開始するための動力を提供するという要件である。この動力は、ポンプ機構により提供され得、また、適切な弁及び制御システムによって制御され得る。これらの項目は、全般的に、本明細書において流れ制御機構と称される。一例において、流れ制御機構は、流れを調節するための制御弁と組み合わせて流体リザーバから反応チャンバの中へ流体を付勢する、機械的ばね荷重式チャンバを備え得る。別の例では、必要に応じて流体リザーバから反応チャンバの中へ流体を付勢するために、電気作動式ポンプが使用され得る。
【０００６】
燃料供給反応器モジュールが、必要なときに燃料電池電源に差し込むための（使い捨ての、または補充可能な）交換可能なモジュールとして提供されれば好都合である。
【０００７】
一般的な原理として、流れ制御機構は、反応器モジュールに組み込むことができる。これは、好ましくは使い捨てのまたは補充可能な品目である、反応器モジュールに関して相当なコスト及びサイズのオーバーヘッドを表す。代替として、流れ制御機構は、燃料電池電源に組み込むことができ、また、燃料電池電源に差し込まれたときに反応器モジュールに作用するように使用することができる。これは、流れ制御機構の構成要素を、使い捨てのまたは補充可能な反応器モジュールと交換する必要がないといった利益を有するが、燃料電池と反応器モジュールとの間の特殊な専用設計のインターフェースを必要とし、燃料電池電源が異なる反応器モジュールを使用するための柔軟性を制限する。
【０００８】
水素ガス供給反応器モジュールと燃料電池電源とをインターフェースするための、単純で、低コストな、かつ容易に実現されるシステムを有することが望ましい。
【課題を解決するための手段】
【０００９】
一態様によれば、本発明は、燃料電池電源のためのアダプタを提供し、該アダプタは、
筐体と、
アダプタを燃料電池電力モジュールの燃料入口ポートに着脱可能に連結するための、筐体の中の第１の接続インターフェースと、
アダプタを反応器モジュールの燃料出口ポートに着脱可能に連結するための、筐体の中の第２の接続インターフェースと、
第１の接続インターフェースと第２の接続インターフェースとの間に延在する流体ラインと、
反応器モジュールがアダプタに連結されたときに動力を反応器モジュールの流れ回路に提供するように構成される、流れ制御機構の動力ユニットとを備える。
【００１０】
動力ユニットは、モーター及びポンプを備え得、第２の接続インターフェースは、第１の反応物ポート及び第２の反応物ポートを備え得、該ポンプは、第１の反応物ポートと第２の反応物ポートとの間に延在する流体ラインの中に配置される。動力ユニットは、反応器モジュールの中のポンプヘッドに連結するための、第２の接続インターフェース上に配置される駆動出力を有する、ポンプモーターを備え得る。モーター及びポンプは、蠕動ポンプを備え得る。駆動出力は、反応器モジュールが第２の接続インターフェースに連結されたときに反応器モジュールの中の蠕動ポンプヘッドと協働するように構成される、ローラーを備え得る。第１の接続インターフェースは、燃料電池電力モジュールから制御信号及び／または電力を受け取るための電気接続インターフェースを含み得る。アダプタは、燃料電池電力モジュールから制御信号を受け取るための、電気接続インターフェースに連結される電子コントローラを含み得る。第１の接続インターフェースは、弁に連結される機械的アクチュエータを含み得、該機械的アクチュエータは、第１の接続インターフェースに連結されたときに燃料電池電力モジュールによって動作可能である。第１の接続インターフェースは、弁に連結される機械的アクチュエータを含み得、該機械的アクチュエータは、第１の接続インターフェースに連結されたときに燃料電池電力モジュールによって動作可能である。第２の接続インターフェースは、反応器モジュールの閉鎖弁またはシールを動作させるための機械的アクチュエータを備え得る。アダプタは、動力ユニットを制御するように構成されるコントローラを含み得る。動力ユニットは、流れ制御弁を備え得、第２の接続インターフェースは、第１の反応物ポート及び第２の反応物ポートを備え得、切り替え弁が、第１の反応物ポートと第２の反応物ポートとの間に延在する流体ラインの中に配置される。
【００１１】
別の態様において、本発明は、上で説明されるようなアダプタ、及び反応器モジュールを備えるモジュール式反応器アセンブリを提供し、該反応器モジュールは、該アダプタの第２の接続インターフェースと係合して協働するように構成される、接続インターフェースを有する。
【００１２】
反応器モジュールは、
第１の反応物を含有する反応物リザーバと、
第２の反応物を含有する反応チャンバと、
反応物リザーバと反応チャンバとの間に延在する流路を備える流れ回路と、
反応チャンバに対する第１の反応物の流れを制御するための、流路の中の流れ制御要素であって、反応器モジュールがアダプタの第２の接続インターフェースに連結されたときにアダプタの動力ユニットによって駆動可能である、流れ制御要素とを備え得る。
【００１３】
反応器モジュールは、
第１の反応物を含有する反応物リザーバと、
第２の反応物を含有する反応チャンバと、
反応物リザーバから反応器モジュールの接続インターフェースに延在する第１の流路、及び反応器モジュールの接続インターフェースから反応チャンバに延在する第２の流路を備える、流れ回路とを備え、
アダプタは、
それぞれが反応器の接続インターフェースの第１の流路及び第２の流路と係合する、第２の連通インターフェースの中の第１の反応物ポート及び第２の反応物ポートを備え得、
動力ユニットは、反応器モジュールがアダプタの第２の接続インターフェースに連結されたときに、アダプタの流体ラインを介した反応チャンバに対する第１の反応物の流れを制御するための、第１の反応物ポートと第２の反応物ポートとの間に延在する流体ラインの中の流れ制御要素を備える。
【００１４】
アダプタは、反応器モジュールをその中に受け取る空洞を画定し得る。空洞は、反応器モジュールを空洞の中に受け取ったときに閉鎖可能であり得る。反応器モジュールは、アダプタモジュールをその中に受け取る空洞を画定し得る。
【００１５】
別の態様によれば、本発明は、燃料電池電源を提供し、該燃料電池電源は、
筐体と、
燃料電池電源を反応器モジュールの燃料出口ポートに着脱可能に連結するための、筐体の中の接続インターフェースと、
反応器モジュールが燃料電池電源に連結されたときに動力を反応器モジュールの流れ回路に提供するように構成される、流れ制御機構の動力ユニットとを備え得る。
【００１６】
動力ユニットは、モーター及びポンプを備え得、接続インターフェースは、第１の反応物ポート及び第２の反応物ポートを備え得、該ポンプは、第１の反応物ポートと第２の反応物ポートとの間に延在する流体ラインの中に配置される。動力ユニットは、反応器モジュールの中のポンプヘッドに連結するための、接続インターフェース上に配置される駆動出力を有する、ポンプモーターを備え得る。モーター及びポンプは、蠕動ポンプを備え得る。駆動出力は、反応器モジュールが接続インターフェースに連結されたときに反応器モジュールの中の蠕動ポンプヘッドと協働するように構成される、ローラーを備え得る。接続インターフェースは、反応器モジュールの閉鎖弁またはシールを動作させるための機械的アクチュエータを備え得る。
【００１７】
動力ユニットは、流れ制御弁を備え得、第２の接続インターフェースは、第１の反応物ポート及び第２の反応物ポートを備え得、切り替え弁が、第１の反応物ポートと第２の反応物ポートとの間に延在する流体ラインの中に配置される。燃料電池電源は、反応器モジュールをその中に受け取ることができる、筐体の中の空洞を含み得る。
【００１８】
本発明は、燃料電池電源を動作させる方法をさらに提供し、該方法は、
ａ）アダプタを提供することであって、該アダプタは、
筐体と、
アダプタを燃料電池電力モジュールの燃料入口ポートに着脱可能に連結するための、筐体の中の第１の接続インターフェースと、
アダプタを反応器モジュールの燃料出口ポートに着脱可能に連結するための、筐体の中の第２の接続インターフェースと、
第１の接続インターフェースと第２の接続インターフェースとの間に延在する流体ラインと、
反応器モジュールがアダプタに連結されたときに動力を反応器モジュールの流れ回路に提供するように構成される、流れ制御機構の動力ユニットとを備える、アダプタを提供することと、
ｂ）第１の接続インターフェースを燃料電池電力モジュールに連結することと、
ｃ）第２の接続インターフェースを反応器モジュールに接続することと、
ｄ）アダプタを介した反応器モジュールから燃料電池電力モジュールへの燃料の送達を制御することと、を含む。
【００１９】
本方法はさらに、アダプタの中の電子コントローラによって燃料の送達を制御するステップを含み得る。
【００２０】
別の態様によれば、本発明は、燃料電池電源を動作させる方法を提供し、該燃料電池電源は、
ａ）燃料電池電源を提供することであって、該燃料電池電源は、
筐体と、
燃料電池電源を反応器モジュールの燃料出口ポートに着脱可能に連結するための、筐体の中の接続インターフェースと、
反応器モジュールが燃料電池電源に連結されたときに動力を反応器モジュールの流れ回路に提供するように構成される流れ制御機構の動力ユニットと、を有する、燃料電池電源を提供することと、
ｂ）接続インターフェースを反応器モジュールに連結することと、
ｃ）燃料電池電源の中の動力ユニットを使用して、反応器モジュールから燃料電池電力モジュールへの燃料の送達を制御することと、を含む。
【００２１】
別の態様によれば、本発明は、アダプタ内の動力ユニットを使用して、反応器モジュールから燃料電池電源への燃料の送達を制御するようにアダプタを構成するために、燃料電池電源のためのアダプタにロードするように構成されるコンピュータプログラムコードを含む、コンピュータプログラムを提供する。
【００２２】
別の態様によれば、本発明は、燃料電池電源内の動力ユニットを使用して、反応器モジュールから燃料電池電源への燃料の送達を制御するように燃料電池電源を構成するために、燃料電池電源にロードするように構成されるコンピュータプログラムコードを含む、コンピュータプログラムを提供する。
【００２３】
別の態様によれば、本発明は、上で定義されるような方法を行うように構成されるコンピュータプログラムコードを含む、コンピュータプログラムを提供する。
【００２４】
以下、添付図面を参照しながら、本発明の実施形態を一例として説明する。
【図面の簡単な説明】
【００２５】
【図１】モジュール式燃料電池電源、アダプタ、及び蠕動ポンプをアダプタに展開した反応器アセンブリの概略図である。
【図２】モジュール式燃料電池電源、アダプタ、及びモーター駆動ユニットをアダプタに展開し、蠕動ポンプヘッドを反応器モジュールに展開した反応器アセンブリの概略図である。
【図３】モジュール式燃料電池電源、アダプタ、及びポンプユニットをアダプタに展開した反応器アセンブリの概略図である。
【図４】モジュール式燃料電池電源、アダプタ、及びモーター駆動ユニットをアダプタに展開し、ポンプヘッドを反応器モジュールに展開した反応器アセンブリの概略図である。
【図５】モジュール式燃料電池電源、アダプタ、及びモーター駆動ユニットをアダプタに展開し、二重ポンプヘッドを反応器モジュールに展開した反応器アセンブリの概略図である。
【図６】モジュール式燃料電池電源、アダプタ、及びモーター駆動ユニットをアダプタに展開し、分割型ポンプヘッドを反応器モジュールに展開した反応器アセンブリの概略図である。
【図７】モジュール式燃料電池電源、アダプタ、及び二重流体ポンプユニットをアダプタに展開した反応器アセンブリの概略図である。
【図８】モジュール式燃料電池電源、アダプタ、及び二重ポンプユニットをアダプタに展開した反応器アセンブリの概略図である。
【図９】アダプタ及び反応器アセンブリの概略斜視図である。
【図１０】アダプタ及び反応器アセンブリの概略斜視及び断面図である。
【発明を実施するための形態】
【００２６】
燃料電池電源及び反応器モジュール双方の設計における柔軟性を高めるために、ならびに燃料電池電源のエンドユーザに対する柔軟性を高めるために、燃料電池電源が、単一の反応器モジュール設計とのインターオペラビリティに限定されないことが非常に望ましいことが、発明者によって認識されている。これは、燃料電池電源のエンドユーザまたは購入者が、例えば、１つの製造業者または供給業者からの反応器モジュールに限定されないことを意味する。また、使い捨ての品目の浪費を回避してそのコストを低減させるために、反応器モジュールを使用する度に、より長持ちするシステムの構成要素が交換されないように、反応器モジュールが、最小数の構成要素だけしか必要としないことも非常に望ましい。また、燃料電池電源が、反応器モジュールの動作を十分に制御することができることも重要であり得る。
【００２７】
故に、本発明は、反応器モジュール及び燃料電池電源モジュールの双方、すなわち、反応物リザーバから反応器モジュールの反応チャンバへの流れ制御を提供する流れ制御機構の重要な要素とは別体のインターフェースモジュールの提供を提案する。
【００２８】
図１を参照すると、燃料電池電源１のモジュール式配設は、燃料電池電力モジュール２と、アダプタモジュール３と、反応器モジュール４とを備える。アダプタモジュール３（本明細書において、「アダプタ」とも称される）は、２つの別個の接続インターフェース６、７を含む、または画定する、独立した筐体５を有する。第１の接続インターフェース６は、燃料電池電力モジュール筐体１４上の対応するインターフェース１１に連結するように構成され、第２の接続インターフェース７は、反応器モジュール筐体１５上の対応するインターフェース１２に連結するように構成される。
【００２９】
インターフェース６、７、１１、１２は、アダプタモジュール３、燃料電池電力モジュール２、及び反応器モジュール４のそれぞれの別個の筐体５、１４、１５の一部を形成する。インターフェース６、７、１１、１２は、それぞれのモジュールの互いに対する着脱可能な係合のための機械的構造を含む。これらの機械的構造は、インターフェースと適切な保持機構との間の機械的接触のための嵌合面を含む。保持機構は、クリップ、ロック、ねじ付きカラー、摩擦嵌め面、磁気連結具、及び同類のもの、ならびにそれらの任意の組み合わせ等の、任意の適切なタイプのものであり得る。嵌合面は、正しい整列及び正しい係合を確実にするための、プラグ及びソケット配設またはキー付き表面を含み得る。インターフェース６、７、１１、１２はまた、（ａ）燃料電池電力モジュール２とアダプタモジュール３との間の、及び（ｂ）アダプタモジュール３と反応器モジュール４との間の、機械的、電気的、及び流体連通を可能にする、いくつかの異なる連通構造も含む。これらは、下でさらに詳細に説明される。
【００３０】
燃料電池電力モジュール２、アダプタモジュール３、及び反応器モジュール４のそれぞれは、それ自体の別個の筐体を有する独立した一体構造体である。
【００３１】
燃料電池電力モジュール２は、よく知られている原理による、適切な燃料源から電力を発生させるための電気化学燃料電池スタック（図示せず）を含む。燃料電池電力モジュール２は、好ましくは、例えば、超携帯性のためのポケットサイズの寸法の、及び上で述べられるような消費者デバイスに給電するのに適切な容量のマイクロ燃料電池として説明され得るものである。燃料源は、好ましくは水素であるが、炭化水素等の他の燃料を使用することができる。
【００３２】
燃料は、ソレノイド弁２１及び圧力計２２への、及びそこから燃料セルスタック（図示せず）への入口ポート２０を介して、燃料電池電力モジュール２の中に受け取られる。マイクロコントローラ２３は、燃料電池スタック及びアダプタ５のための制御機能を提供することができる。電気制御インターフェース２４は、アダプタ３との連通を提供する。バッテリ２５は、燃料電池電力モジュール２に電力を提供し得、また、電力インターフェース２６によってアダプタ３にも電力を提供し得る。
【００３３】
アダプタモジュール３は、第１の接続インターフェース６と第２の接続インターフェース７との間に延在する、流体燃料ライン３０を含む。流体燃料ライン３０は、第１の接続インターフェース６において、遮断弁３１と、圧力逃がし弁３２と、水素出口３３とを組み込むことができる。流体燃料ライン３０は、反応器モジュール４から燃料電池電力モジュール２に水素燃料を移送するように動作可能である。圧力逃がし弁３２は、過剰圧力状態が生じた場合に、大気に通気するために提供され得る。代替の配設において、圧力逃がし弁は、代わりに反応器モジュール４の中に、または同様にアダプタモジュール中に位置付けることができる。
【００３４】
アダプタモジュール３はさらに、ポンプ３４を含み、この配設では蠕動ポンプである。マイクロコントローラ３５は、このポンプ３４に対する制御機能性を提供する。マイクロコントローラ３５は、電気制御インターフェース２４を使用して、燃料電池電力モジュールの中のマイクロコントローラ２３によって少なくとも部分的に制御され得る。
【００３５】
燃料電池電力モジュール２とアダプタモジュール３との間のインターフェース６、１１はまた、アダプタモジュールの存在を検出するための感知機構、及びアダプタモジュールを保持するための保持機構も含み得る。感知機構及び／または保持機構は、アダプタモジュールの中の金属プレート３６及び燃料電池電力モジュール２の中の適切な磁気及びセンサ（図１では示されないが、一例として他の図面で表される）を備える磁気感知及び保持機構において具現化することができる。
【００３６】
図１の配設において、反応器モジュール４は、水バッグまたはブラダー等の可撓性流体リザーバとすることができる、流体リザーバ４０を備える。反応器モジュール４は、インターフェース１２において流体リザーバ４０から第１のシール４２に通じる導管４１を有する。第１のシール４２は、機械的インターフェース４３によって概略的に示されるアダプタモジュールの中の機械的構成要素によって開くことができる、穿刺シールまたは隔膜シールであり得る。それによって、第１のシール４２は、アダプタモジュール３のポンプ３４の入口への、第１の流体継手またはインターフェース４４の一部を形成する。
【００３７】
反応器モジュール４はさらに、インターフェース１２において第２のシール４５を含む。第２のシール４５は、機械的インターフェース４６によって概略的に示されるアダプタモジュール３の中の機械的構成要素によって開くことができる、穿刺シールまたは隔膜シールであり得る。それによって、第２のシール４５は、アダプタモジュール３のポンプ３４の出口への、第２の流体継手またはインターフェース４７の一部を形成する。
【００３８】
流体導管４８は、必要に応じて、第２のシール４５から、反応物及び／または触媒を収容する反応チャンバ４９に通じる。流体導管５０は、反応チャンバ４９から、乾燥剤チャンバ５１に、次いで第３のシール５２に通じる。第３のシール５２は、機械的インターフェース５３によって概略的に示されるアダプタモジュールの中の機械的構成要素によって開くことができる、穿刺シールまたは隔膜シールであり得る。それによって、第３のシール５２は、アダプタモジュール３の流体燃料ライン３０への、第３の流体継手またはインターフェース５４の一部を形成する。反応器モジュール４はまた、反応チャンバ４９と第３のシール５２との間に圧力逃がし弁（図示せず）も含み得る。
【００３９】
アダプタモジュール３及び反応器モジュール４はどちらも、２つのモジュールを互いによって係止係合状態に解放可能に維持するための保持機構を含む。保持機構は、クリップ特徴５５及び５６として概略的に示される機械的クリップ配設において具現化することができる。
【００４０】
使用に際し、反応器モジュール４は、２つの構成部品をともに係止するために、保持機構５５、５６を使用して、インターフェース７、１２によりアダプタ３に取り付けられる。インターフェース７、１２において２つのモジュール３、４を結合するアクションは、機械的インターフェース４３、４６、５３によってシール４２、４５、５２を開き、それによって、（ｉ）流体リザーバ４０からポンプ３４への、（ｉｉ）ポンプ３４から反応チャンバ４９への、及び（ｉｉｉ）反応チャンバ４９から燃料ライン３０への、流体連通経路を作成する。
【００４１】
アダプタ３が、ポンプ３４を動作させるようにマイクロコントローラ３５によって命令されると、反応物（一例として、水）が、流体リザーバ４０から反応チャンバ４９にポンプ注入される。それによって水素が生成され、該水素は、乾燥剤チャンバ５１を通過して湿気を除去し、次いで、燃料ライン３０の中へ入る。
【００４２】
次いで、反応器モジュール４及びアダプタモジュール３が燃料電池電力モジュール２に連結されると、機械的インターフェース５７によって概略的に示されるアクチュエータによって燃料遮断弁３１を動作させることができ、よって、水素燃料を、インターフェース６、１１を通じて、燃料電池電力モジュール２の中のソレノイド弁２１に通すことができる。反応チャンバ４９での反応が進行するにつれて水素圧力が蓄積するが、該水素圧力は、圧力計２２を使用してマイクロコントローラ２３によって監視される。水素圧力は、マイクロコントローラ３５と協調してマイクロコントローラ２３によって制御することができ、燃料電池電力モジュール２の中の燃料電池スタックの水素燃料使用量を考慮して、ポンプ３４を通るリザーバ４０からの反応物の流量を制御する。
【００４３】
一般的態様において、アダプタ３の接続インターフェース６は、アダプタ３を燃料電池電源モジュールの燃料入口ポート２０に着脱可能に連結するための、第１の接続インターフェースを例示する。アダプタ３の接続インターフェース７は、アダプタを反応器モジュール４の燃料出口ポート５４に着脱可能に連結するための、第２の接続インターフェースを例示する。アダプタモジュール３の中の蠕動ポンプ３４は、反応器モジュール４がアダプタ３に連結されたときに動力を反応器モジュール４の流れ回路に提供するように構成される、流れ制御機構の動力ユニットを例示する。流体継手４４、４７は、アダプタモジュールの中の第１の反応物ポート及び第２の反応物ポートを例示し、ポンプ３４は、第１及び第２の反応物ポートの間に延在する流体ラインの中に位置する。
【００４４】
図２は、燃料電池電力モジュール１０２と、アダプタモジュール１０３と、反応器モジュール１０４とを備える、燃料電池電源１０１の別のモジュール式配設を示す。この配設の大部分の特徴は、図１の燃料電池電源の対応する特徴と同じまたは類似であり、さらに詳細に説明する必要はない。しかしながら、配設１０１は、下で論じられる複数の事項において、配設１と異なる。
【００４５】
図２の配設では、蠕動ポンプ３４の一部を反応器モジュール１０４の中に再配置できることが認識される。蠕動ポンプ３４の歯車付モーター部１３０は、アダプタモジュール１０３の中に提供され、ポンプヘッド部１３１は、反応器モジュール１０４の中に提供される。常時閉ピンチ弁１３２は、蠕動ポンプヘッド１３１の下流に配置される。例えば、モーター部１３０は、モーター及びポンプのローブローター部を備え得、一方で、ポンプヘッド１３１は、従来の蠕動ポンプ動作と合致する様式で、ローブローターによって循環的に圧搾される、可撓性の圧縮可能なチューブを備え得る。より全般的には、ローブローターは、任意の適切なローラーであり得る。この配設では、低コストの可撓性の圧縮可能なチューブだけが、（潜在的に）使い捨ての反応器モジュール４の一部を形成するだけでよい。代替の配設では、ローブローターが、反応器モジュール４及びアダプタモジュールの中に提供されるモーター駆動部の中に提供され得る。モーター部１３０及びポンプヘッド部は、使用に際し、１３８で概略的に示される駆動シャフトによって連結される。
【００４６】
使用に際し、モーター１３０の動作は、蠕動ポンプヘッドチューブ１３１を循環的に圧縮して、常時閉ピンチ弁１３２を通る流体を圧縮し、それによって、流体リザーバ１４０から反応チャンバ１４９に反応物流体をポンプ注入する役割を果たす。
【００４７】
図２の配設はまた、反応物流体チャンバ１４０に対する圧力バイアスの形態での、随意の追加的な構成要素を示す。本実施例において、圧力バイアスは、可撓性バルーンである流体リザーバ１４０に対する圧力を維持する役割を果たす、圧力バルーン１６０の形態とすることができる。このようにして、蠕動ポンプ部１３０、１３１の動作が支援される。特に、蠕動ポンプの圧縮可能なチューブ部分及び該蠕動ポンプにつながるパイプに平チューブが利用される場合、ポンプヘッドへの連続供給を確実にするために、圧力バルーン１６０が平チューブを膨張させる。所望であれば、さらなる常時閉ピンチ弁１６１が乾燥剤チャンバ１５１の下流に提供され得る。
【００４８】
一般的態様において、歯車付モーター部１３０（さらに、場合によっては、ローブローター部）は、反応器モジュールがアダプタモジュール１０３に連結されたときに動力を反応器モジュール１０４の流れ回路に提供するように構成される、流れ制御機構の動力ユニットを例示する。
【００４９】
図３は、燃料電池電力モジュール２０２と、アダプタモジュール２０３と、反応器モジュール２０４とを備える、燃料電池電源２０１の別のモジュール式配設を示す。この配設の大部分の特徴は、図１または図２の燃料電池電源の特徴と同じまたは類似であり、さらに詳細に説明されない。しかしながら、配設２０１は、下で論じられる複数の事項において、配設１、１０１と異なる。
【００５０】
図３の配設では、ポンプ２３４を蠕動ポンプとする必要がないことが認識される。ポンプ２３４は、反応物流体リザーバ２４０から、流体ライン２６０、２６１を通して、流体継手２４４、２４７を介して、弁２３２に、次いで、導管２４８を介して、反応チャンバ２４９に反応物流体をポンプ注入することができる、任意の適切な形態のポンプであり得る。他の特に好ましいタイプのポンプとしては、電気浸透ポンプ及び圧電ポンプが挙げられる。
【００５１】
図３にはまた、燃料電池電力モジュール２０２及びアダプタモジュール２０３を互いに接触した状態に維持するための着脱可能な保持機構として使用される、磁石２２７及び金属プレート２３６も示される。磁石及び金属プレートの配設はまた、例えばマイクロコントローラ２２３によって、燃料電池電力モジュール２０２及びアダプタモジュール２０３の安全な係合を監視するための、感知機構としても使用され得る。
【００５２】
一般的態様において、モーター及びポンプ２３４は、反応器モジュールがアダプタモジュール２０３に連結されたときに動力を反応器モジュール２０４の流れ回路に提供するように構成される、流れ制御機構の動力ユニットを例示する。流れ回路は、リザーバ２４０、弁２３２、導管２４８、反応チャンバ２４９、及び燃料出口ポート２５４を含むものとみなされ得る。
【００５３】
図４は、燃料電池電力モジュール３０２と、アダプタモジュール３０３と、反応器モジュール３０４とを備える、燃料電池電源３０１の別のモジュール式配設を示す。この配設の大部分の特徴は、図１〜図３の燃料電池電源の特徴と同じまたは類似であり、さらに詳細に説明する必要はない。しかしながら、配設３０１は、下で論じられる複数の事項において、配設１、１０１、２０１と異なる。
【００５４】
図４の配設では、ポンプを蠕動ポンプとする必要がないこと、及び歯車付モーター部３３０を任意の適切なポンプヘッド３３１のための任意の適切なモーター駆動ユニットとすることができることが認識される。歯車付モーター部３３０は、リザーバ３４０から、弁３３２を通して、反応チャンバ３４９に反応物流体をポンプ注入する、ポンプヘッド３３１を駆動する役割を果たす。
【００５５】
一般的態様において、モーター部３３０及びその駆動出力３３８は、反応器モジュールがアダプタモジュール３０３に連結されたときに動力を反応器モジュール３０４の流れ回路に提供するように構成される、流れ制御機構の動力ユニットを例示する。流れ回路は、リザーバ３４０、ポンプヘッド３３１、弁３３２、導管３４８、反応チャンバ３４９、及び燃料出口ポート３５４を含むものとみなされ得る。
【００５６】
図２及び図４の配設は、反応器モジュール１０４、３０４からアダプタモジュール１０３、３０３への流体、例えば水素燃料の輸送に、インターフェース７、１２を横断する流体継手１５４、３５４が１つだけしか必要とされない点で、図１及び図３の配設に勝る利点を提供し得る。流体継手４４、４７は、必要とされない。
【００５７】
図５は、燃料電池電力モジュール４０２、アダプタモジュール４０３、及び反応器モジュール４０４を備える、燃料電池電源４０１の別のモジュール式配設を示す。この配設の大部分の特徴は、図４の燃料電池電源の特徴と同じまたは類似であり、さらに詳細に説明する必要はない。しかしながら、図５の配設では、４３８で概略的に示される駆動シャフトによって、反応器モジュール４０４の中の複数のポンプヘッド４３１ａ、４３１ｂを駆動するように構成されるアダプタモジュール４０３の中に、１つの歯車付モーター部４３０が提供される。歯車付モーター部４３０は、第１のリザーバ４４０ａから、弁４３２ａを通して、反応チャンバ４４９に反応物流体をポンプ注入する、ポンプヘッド４３１ａを駆動する役割を果たす。歯車付モーター部４３０はまた、第２のリザーバ４４０ｂから、弁４３２ｂを通して、反応チャンバ４４９に反応物流体をポンプ注入する、ポンプヘッド４３１ｂを駆動する役割も果たす。
【００５８】
この配設は、例えば、第１の反応物を反応チャンバの中に既に存在する第２の反応物に加える図１〜図４の配設においてではなく、第１及び第２の反応物を別個のリザーバ４４０ａ、４４０ｂにおいて保持し、別個の反応チャンバ４４９において混合し、反応させるときに使用することができる。代替として、図５の配設は、３つの反応物または２つの反応物及び触媒材料が必要とされる場合に使用することができ、これらは、混合するために、それぞれ、２つの流体リザーバ４４０ａ、４４０ｂ及び反応チャンバ４４９において保持することができる。
【００５９】
図５の配設はさらに、それぞれが別個のポンプヘッド４３１ａ、４３１ｂ及び別個の弁４３２ａ、４３２ｂを有する、２つを超えるリザーバ４４０ａ、４４０ｂを含むように適合させることができる。
【００６０】
一般的態様において、モーター４３０及びその駆動出力４３８は、反応器モジュールがアダプタモジュール４０３に連結されたときに動力を反応器モジュール４０４の２つの流れ回路に提供するように構成される、流れ制御機構の動力ユニットを例示する。流れ回路は、リザーバ４４０ａ、４４０ｂ、ポンプヘッド４３１ａ、４３１ｂ、弁４３２ａ、４３２ｂ、導管４４８ａ、４４８ｂ、反応器４４９、及び燃料出口ポート４５４を含むものとみなされ得る。
【００６１】
図６は、図５のモジュール式配設の変形物を示し、該変形物において、歯車付モーター部５３０は、二重流体分割型ポンプヘッド５３１を駆動する役割を果たし、該ポンプヘッドは、２つの流路を有し、第１のリザーバ５４０ａから、弁５３２ａを通して、反応チャンバ５４９に反応物流体をポンプ注入し、また、第２のリザーバ５４０ｂから、弁５３２ｂを通して、反応チャンバ５４９に反応物流体をポンプ注入する。
【００６２】
一般的態様において、モーター５３０及びその駆動出力５３８は、反応器モジュールがアダプタモジュール５０３に連結されたときに動力を反応器モジュール５０４の２つの流れ回路に提供するように構成される、流れ制御機構の動力ユニットを例示する。流れ回路は、リザーバ５４０ａ、５４０ｂ、二重流体ポンプヘッド５３１、弁５３２ａ、５３２ｂ、導管５４８ａ、５４８ｂ、反応器５４９、及び燃料出口ポート５５４を含むものとみなされ得る。
【００６３】
図７は、図３のモジュール式配設の変形物を示し、該変形物において、二重流体、二重経路ポンプ６３４は、第１のリザーバ６４０ａから、流体ライン６６０ａ、６６１ａを通して、流体継手６４４ａ、６４７ａを介して、弁６３２ａに、次いで、反応チャンバ６４９に第１の反応物流体をポンプ注入するように動作可能であり、また、第２のリザーバ６４０ｂから、流体ライン６６０ｂ、６６１ｂを通して、流体継手６４４ｂ、６４７ｂを介して、弁６３２ｂに、次いで、反応チャンバ６４９に第２の反応物流体をポンプ注入するようにも動作可能である。
【００６４】
一般的態様において、ポンプ６３４は、反応器モジュールがアダプタモジュール６０３に連結されたときに動力を反応器モジュール６０４の２つの流れ回路に提供するように構成される、流れ制御機構の動力ユニットを例示する。流れ回路は、リザーバ６４０ａ、６４０ｂ、流体ライン６６０ａ、６６０ｂ、６６１ａ、６６１ｂ、弁６３２ａ、６３２ｂ、導管６４８ａ、６４８ｂ、反応器６４９、及び燃料出口ポート６５４を含むものとみなされ得る。
【００６５】
図８は、図７のモジュール式配設の変形物を示し、該変形物において、二重流体、二重経路ポンプ６３４を２つの別個のポンプ７３４ａ、７３４ｂと置き換えている。第１のポンプ７３４ａは、第１のリザーバ７４０ａから、流体ライン７６０ａ、７６１ａを通して、流体継手７４４ａ、７４７ａを介して、弁７３２ａに、次いで、反応チャンバ７４９に第１の反応物流体をポンプ注入するように構成され、また、第２のリザーバ７４０ｂから、流体ライン７６０ｂ、７６１ｂを通して、流体継手７４４ｂ、７４７ｂを介して、弁７３２ｂに、次いで、反応チャンバ７４９に第２の反応物流体をポンプ注入するようにも動作可能である。
【００６６】
一般的態様において、ポンプ７３４は、反応器モジュールがアダプタモジュール７０３に連結されたときに、動力を反応器モジュール７０４の２つの流れ回路に提供するように構成される、流れ制御機構の動力ユニットを例示する。流れ回路は、リザーバ７４０ａ、７４０ｂ、流体ライン７６０ａ、７６０ｂ、７６１ａ、７６１ｂ、弁７３２ａ、７３２ｂ、導管７４８ａ、７４８ｂ、反応器７４９、及び燃料出口ポート７５４を含むものとみなされ得る。
【００６７】
図９は、反応器モジュール８０４（図９ｃ）とともに使用する、燃料電池電源のためのアダプタモジュール８０１、８０２（図９ａ、９ｂ）の２つの例示的な物理的配置を示す。図９ａは、反応器モジュール８０４との係合に適切なアダプタモジュール８０１を示す。頂部分８０５は、アダプタモジュールと燃料電池電力モジュール２（図９に示さず）との間の第１の接続インターフェースを画定する。底部分８０６は、アダプタモジュール８０１と反応器モジュール８０４との間の第２の接続インターフェースを画定する。ポンプモーター（例えばモーター１３０及び駆動シャフト１３８）を備える動力ユニットは、反応器モジュールインターフェース８１２での反応器モジュール８０４との係合のための下部突出部分８１０の中に配置される。
【００６８】
図９ｂは、反応器モジュール８０４との係合に適切な代替のアダプタモジュール８０２を示す。頂部分８０７は、アダプタモジュールと燃料電池電力モジュール２との間の第１の接続インターフェースを画定する。底部分８０８は、アダプタモジュール８０２と反応器モジュール８０４との間の第２の接続インターフェースを画定する。ポンプモーター（例えばモーター１３０及び駆動シャフト１３８）を備える動力ユニットは、反応器モジュール８０４との、及びその中への係合のために、延在する下部突出部分８１１の中に配置される。
【００６９】
図１〜図９に関連して説明される配設以外に、他の配設が可能である。
例えば、反応器モジュールは、別個のポンプ（例えば、電動式ポンプ３４）を必要としない十分な圧力で、流体リザーバ４０から反応チャンバ４９の中へ流体を付勢する、機械的ばね荷重式のチャンバを含む場合、アダプタモジュール３は、流体継手４４、４７を介した流体リザーバ４０から反応チャンバ４９への流れを制御するために、電動式流れ制御弁と置き換えられるポンプ３４を有し得る。この場合、アダプタモジュールの動力ユニットは、流れ制御弁によって例示され得る。流れ制御弁は、可変オリフィス流れコントローラ等の、流れの微細な制御のための、切り替え弁（例えば単純な電気機械オン／オフ弁）及び／または流れ調節器を備え得る。
【００７０】
上で説明される実施形態のいくつかは、少なくとも１つのリザーバ４０の中の流体反応物、及び流体反応物がポンプ注入される反応チャンバ４９の中の固体（例えば、粉末状の）反応物の使用を好んで提案しているが、反応チャンバは、反応チャンバの中へまたはそこに送達され、混合される２つの液体反応物によって現実化することができる。動力ユニットはまた、流れ制御機構がポンプを通して固体（例えば、粉末状の／粒子状の）反応物を駆動するように構成されるという条件で、そのような固体粒子を駆動するように構成することもできる。流体リザーバ４０の中の流体反応物は、反応チャンバ４９の中に触媒だけが提供された状態で反応させる、化学溶液とすることができる。
【００７１】
好ましくは、アダプタモジュールは、例えば燃料電池電力モジュールの構成要素寿命と同様の構成要素寿命をもつ、相当な数の反応器モジュール交換に使用することができる、耐久性構成要素から製造される。反応器モジュールは、１回だけの使用（例えば、完全な使い捨て）のための低コストで、より低い耐久性の構成要素から製造され得、または制限された寿命に適切な寿命もしくは寿命延長の補充動作を有し得る。理想的には、反応器モジュールは、耐久性構成要素を全くまたは殆ど有さず、また、例えば電子制御構成要素の形態で、オンボードインテリジェンスの数が限定されるか、または全く有さない。
【００７２】
アダプタモジュールは、特定のタイプの反応器モジュールに、及び特定の燃料電池電力モジュールに対してカスタマイズされた制御機能及び制御インテリジェンスを提供することができ、よって、異なるタイプの反応器モジュールを、異なる物理的レイアウト（例えば、形状因子）及び異なる燃料流れ制御要件を有する異なるタイプの燃料電池電力モジュールとともに成功裏に使用することができる。アダプタ内の動力ユニットを使用した、反応器モジュールから燃料電池電源への燃料の送達を制御するための制御機能は、アダプタの中のマイクロコントローラ（例えば、コントローラ３５）によって、もしくは電力モジュール２の中のマイクロコントローラ（例えば、コントローラ２３）によって行うことができ、または該機能は、任意の好都合なもしくは戦略的な様式で、２つのコントローラ間に分散させることができる。制御機能は、任意の適切なアプリケーション固有のハードウェア及び／もしくはファームウェアを使用して、または適切な汎用データ処理デバイスにロードしたソフトウェアを使用して、または上記の任意の組み合わせで実現することができる。「マイクロコントローラ」という表現は、上記の全てを包含することが意図される。そのようなマイクロコントローラを構成するためのコンピュータプログラムは、任意のコンピュータ読み出し可能な媒体に提供され得る。コンピュータ読み出し可能な媒体は、光もしくは磁気媒体または固体メモリデバイス等の、物理的な媒体であり得る。コンピュータ読み出し可能な媒体は、任意の適切なデータ通信チャネル上に過渡信号を含み得る。
【００７３】
任意の適切な反応器モジュールは、任意の必要とされる反応物によって、水素等の適切な燃料を発生させるために使用され得る。１つの例は、反応物流体リザーバ４０からの水と反応させる水素化ホウ素ナトリウムを予め充填した、反応チャンバ４９であり得る。
【００７４】
アダプタモジュールは、必要に応じて、追加的な機能性を提供し得る。例えば、燃料電池膜での水素と酸素との電気化学反応中に燃料電池電力モジュールによって発生する水を使用して、反応器モジュールへのさらなる反応物の供給を提供することが可能であり得る。この事例において、アダプタモジュールは、燃料電池電力モジュールから反応器モジュールへの、水をそこに移送するためのさらなる流れ導管を提供し得る。
【００７５】
アダプタモジュールの動力ユニットはまた、必要に応じて、アジテーション機能（例えば、撹拌）を反応器モジュールに提供するようにも構成され得る。
【００７６】
アダプタモジュール３及び反応器モジュール４について、他の物理的配設が想定される。例えば、図１０を参照すると、燃料電池電源供給装置９０１は、アダプタモジュール９０３を含み得、アダプタモジュール９０３の筐体９０５は、例えば略円筒形状の空洞を形成し、該空洞の中に、対応して成形された反応器モジュール９０４が完全にまたはほぼ完全に受け取られ、図１０ｂで示される。反応器モジュール９０４は、図１〜図９に関連して上で説明されるように、流体リザーバ９４０及び反応チャンバ９４９を含有する。反応器モジュール９０４は、図９ａにおいて矢印で示される方向に、筐体９０５のアダプタモジュール９０３の中に摺動し得、それによって、アダプタモジュール／反応器モジュールの組み合わせを使用できる状態に、及び燃料電池電力モジュール２（図１０に示さず）に連結できる状態に準備する。
【００７７】
より一般的な態様において、アダプタモジュール３及び反応器モジュール４は、それらをともに単一の筐体全体に差し込んで、携帯性のための好都合で安全なユニットを形成することができるように形成され得る。単一の筐体全体は、アダプタモジュール及び反応器モジュールのそれぞれの筐体とは別体の独立した筐体であり得、または、図１０によって例示されるように、他のモジュールをその中に全体的にまたは部分的に受け取る、アダプタモジュール３または反応器モジュール４のうちの１つの筐体の一部であり得る。そのような場合、アダプタモジュール３の第２の連通インターフェース７または反応器モジュール４の対応するインターフェース１２は、図１０で分かるように、それぞれの筐体の凹部上とすることができる。アダプタモジュール３は、反応器モジュール４をその中に受け取る空洞を画定し得る。この空洞は、反応器モジュールを該空洞の中に差し込んだ、または別様にはその中で受け取ったときに、ドア、留め金、またはラッチ係合配設によって閉鎖可能とすることができ、それによって、携帯性のための安全なユニットを作成する。同様に、反応器モジュール４は、アダプタモジュールをその中に受け取る空洞を画定し得る。しかしながら、この事例において、アダプタモジュール３の第１の連通インターフェース６は、使用時に、燃料電池電力モジュール２への接続のために露出させたままにする必要がある。上で全般的に説明される筐体の配設は、図２〜図８の他の全ての実施例にも適用することができる。
【００７８】
別の配設において、図１０ｂで例示される、ともに差し込んだユニット９０３、９０４は、燃料電池電力モジュール２によって画定される筐体の中に受け取ることができ、よって、アダプタモジュール３、９０３の第１の連通インターフェース６は、燃料電池電力モジュール筐体１４によって画定される凹部内で、燃料電池電力モジュール２の対応するインターフェース１１と係合する。したがって、アダプタモジュール３は、反応器モジュール４をその中に受け取る空洞を画定し得、燃料電池電力モジュール２は、ともに差し込んだアダプタモジュール及び反応器モジュールをその中に受け取る空洞を画定し得る。この空洞は、反応器モジュール及びアダプタモジュールを該空洞の中に差し込んだ、または別様にはその中で受け取ったときに、ドア、留め金、またはラッチ係合配設によって閉鎖可能とすることができ、それによって、携帯性のための安全なユニットを作成する。
【００７９】
他の配設において、アダプタモジュール３、１０３、２０３、３０３、４０３、５０３、６０３、７０３の構成要素は、燃料電池電力モジュール２、１０２、２０２、３０２、４０２、５０２、６０２、７０２に統合され得る。そのような配設において、流れ制御機構（例えば、蠕動ポンプ３４、歯車付モーター１３０、モーター及びポンプ２３４、６３４、７３４ａ、７３４ｂ、またはモーター３３０、４３０、５３０）の動力ユニットは、燃料電池電力モジュール内に収容され、その中に統合され、また、反応器モジュールが燃料電池電源に連結されたときに、動力を反応器モジュールの流れ回路に提供するように構成される。そのような配設では、第１の連通インターフェース６及び対応するインターフェース１１を省略することができ、また、流体燃料ライン３０等の流路ならびに遮断弁３１及び圧力逃がし弁等の関連する構成要素を燃料電池電力モジュールに統合することができることが認識されるであろう。燃料電池電力モジュールの動力ユニットは、反応器モジュールから燃料電池電力モジュールへの燃料の送達の制御を効果的に提供する。動力ユニットは、好ましくは、機械的または電気機械的ユニットである。
【００８０】
他の実施形態は、意図して、添付の特許請求の範囲の範囲内にある。
【図１】
2016515757.tif 000003
【図２】
2016515757.tif 000004
【図３】
2016515757.tif 000005
【図４】
2016515757.tif 000006
【図５】
2016515757.tif 000007
【図６】
2016515757.tif 000008
【図７】
2016515757.tif 000009
【図８】
2016515757.tif 000010
【図９（ａ）】
2016515757.tif 000011
【図９（ｂ）】
2016515757.tif 000012
【図９（ｃ）】
2016515757.tif 000013
【図１０】
2016515757.tif 000014
【国際調査報告】
2016515757.tif 000015
2016515757.tif 000016